(57)【特許請求の範囲】
【請求項１】
第１コネクタ部材と、第２コネクタ部材と、が接続されるコネクタであって、
前記第１コネクタ部材には少なくとも１つの突起部が形成されており、
前記第２コネクタ部材は、軸部を中心として前記第２コネクタ部材に対して回転自在に設けられたレバー部材と、ロック突起と、を有し、
前記レバー部材は、前記第１コネクタ部材に形成された前記突起部と係止される少なくとも１つの爪部と、ロック部と、が形成され、
前記爪部は、前記軸部とずれた位置に形成されており、
前記第１コネクタ部材と前記第２コネクタ部材を接続させる場合において、前記レバー部材を、前記軸部を中心として回転させることにより、前記レバー部材の前記爪部の移動により、当該爪部に係止された前記突起部が接続方向に引き込まれ、前記第１コネクタ部材と前記第２コネクタ部材が接続される方向に移動されるようになり、前記第１コネクタ部材と前記第２コネクタ部材との少なくとも一部が当接され、移動が規制された後、前記レバー部材をさらに回転させることで、前記軸部が弾性変形された状態で、前記レバー部材の前記ロック部が前記第２コネクタ部材の前記ロック突起に固定されていることを特徴とするコネクタ。
【請求項２】
前記第１コネクタ部材と前記第２コネクタ部材が当接された状態において、前記レバー部材の前記ロック部は、前記第２コネクタ部材の前記ロック突起と離間した位置に配置され、
前記レバー部材がさらに回転されることで前記軸部が弾性変形され、前記ロック部が前記第２コネクタ部材の前記ロック突起に固定されることを特徴とする請求項１に記載のコネクタ。
【請求項３】
前記第１コネクタ部材は、第１ハウジング本体部と、前記第１ハウジング本体部から突出されて形成され、前記突起部が対向する面にそれぞれ形成された筒状の嵌合部と、を有し、
前記第２コネクタ部材は、第２ハウジングと、前記第２ハウジングが覆われるように設けられたフード部材と、を有し、
前記第１コネクタ部材と前記第２コネクタ部材が接続された場合、前記第１ハウジング本体部と前記第２ハウジングの少なくとも一部が当接され、前記第１ハウジングの前記嵌合部が前記第２ハウジングと前記フード部材の間の隙間に嵌合されることを特徴とする請求項１又は２に記載のコネクタ。
【請求項４】
前記レバー部材は、前記ロック部が形成された所定長さの操作部と、前記操作部の両端側から延設された一対の腕部と、前記一対の腕部にそれぞれ形成された前記軸部と、前記軸部にそれぞれ形成された前記爪部と、を有し、
前記レバー部材の軸部は、前記フード部材の互いに対向する面にそれぞれ貫通されて形成された軸受部に回転自在に配置されており、前記爪部は前記第２ハウジングと前記フード部材の間に形成された隙間に配置されていることを特徴とする請求項３に記載のコネクタ。
【発明の詳細な説明】
【技術分野】
【０００１】
本発明は、接続させたコネクタのがたつきを抑制し、高い耐震性及び耐久性を有するコネクタに関する。
【背景技術】
【０００２】
例えば、下記特許文献１に耐震性を有するコネクタの発明が開示されている。下記特許文献１の発明によれば、第１接続端子を支持するメス型の第１ハウジングと、前記第１接続端子と電気的に接続される第２接続端子を支持するとともに、前記第１ハウジングに嵌挿されて前記第１ハウジングと嵌合するオス型の第２ハウジングと、前記第１ハウジングと前記第２ハウジングとが嵌合する方向と直交する一方向に延在して前記第１ハウジングに形成された溝に掛け止められ、かつ前記嵌合する方向および前記溝の方向のいずれにも直交する方向に沿って前記第２ハウジングに付勢する掛け止め金具と、を含み、前記第１ハウジングおよび前記第２ハウジングのいずれか一方は、前記嵌合する方向に延在し、かつ所定の幅変化率および所定の角度変化率により形成されたテーパ形状のスリットリブを備え、前記第１ハウジングおよび前記第２ハウジングのいずれか他方は、前記スリットリブに対応する位置に設けられるとともに前記第１ハウジングおよび前記第２ハウジングの嵌合方向に延在し、かつ前記スリットリブの所定の角度変化率よりも大きな角度変化率および前記所定の幅変化率よりも大きな幅変化率を有するテーパ形状の溝を備え、前記第２ハウジングが前記第１ハウジングに嵌合された場合、前記溝の内周面に対して前記スリットリブの外壁面が嵌入されて前記スリットリブのスリットが狭くなり、前記溝に前記スリットリブが圧入されるとしている。
【先行技術文献】
【特許文献】
【０００３】
【特許文献１】特開２００８−０７１６７８号公報
【発明の概要】
【発明が解決しようとする課題】
【０００４】
上記特許文献１のコネクタの発明では、第１ハウジングと第２ハウジングの嵌合状態を保つために、掛け止め金具が用いられており、この掛け止め金具が第１ハウジングと第２ハウジングの固定溝に入り込み、傾斜面が押圧されることで固定されている。
【０００５】
しかし、上記特許文献１に開示されたコネクタでは、金属製の掛け止め金具が用いられているため、製造費用が高価となる課題がある。また、掛け止め金具の弾性力により固定されているため、より大きな力がかかった場合は、外れるおそれがある。
【０００６】
本発明の目的は、接続させたコネクタ同士のがたつきを抑制し、高い耐震性及び耐久性を有するコネクタを提供することである。
【課題を解決するための手段】
【０００７】
上記課題を解決するために、本発明の第１の態様のコネクタは、第１コネクタ部材と、第２コネクタ部材と、が接続されるコネクタであって、
前記第１コネクタ部材には少なくとも１つの突起部が形成されており、
前記第２コネクタ部材は、軸部を中心として前記第２コネクタ部材に対して回転自在に設けられたレバー部材と、ロック突起と、を有し、
前記レバー部材は、前記第１コネクタ部材に形成された前記突起部と係止される少なくとも１つの爪部と、ロック部と、が形成され、
前記爪部は、前記軸部とずれた位置に形成されており、
前記第１コネクタ部材と前記第２コネクタ部材を接続させる場合において、前記レバー部材を、前記軸部を中心として回転させることにより、前記レバー部材の前記爪部の移動により、当該爪部に係止された前記突起部が接続方向に引き込まれ、前記第１コネクタ部材と前記第２コネクタ部材が接続される方向に移動されるようになり、前記第１コネクタ部材と前記第２コネクタ部材との少なくとも一部が当接され、移動が規制された後、前記レバー部材をさらに回転させることで、前記軸部が弾性変形された状態で、前記レバー部材の前記ロック部が前記第２コネクタ部材の前記ロック突起に固定されていることを特徴とする。
【０００８】
また、第２の態様のコネクタは、第１の態様のコネクタにおいて、前記第１コネクタ部材と前記第２コネクタ部材が当接された状態において、前記レバー部材の前記ロック部は、前記第２コネクタ部材の前記ロック突起と離間した位置に配置され、
前記レバー部材がさらに回転されることで前記軸部が弾性変形され、前記ロック部が前記第２コネクタ部材の前記ロック突起に固定されることを特徴とする。
【０００９】
また、第３の態様のコネクタは、第１又は２の態様のコネクタにおいて、前記第１コネクタ部材は、第１ハウジング本体部と、前記第１ハウジング本体部から突出されて形成され、前記突起部が対向する面にそれぞれ形成された筒状の嵌合部と、を有し、
前記第２コネクタ部材は、第２ハウジングと、前記第２ハウジングが覆われるように設けられたフード部材と、を有し、
前記第１コネクタ部材と前記第２コネクタ部材が接続された場合、前記第１ハウジング本体部と前記第２ハウジングの少なくとも一部が当接され、前記第１ハウジングの前記嵌合部が前記第２ハウジングと前記フード部材の間の隙間に嵌合されることを特徴とする。
【００１０】
また、第４の態様のコネクタは、第３の態様のコネクタにおいて、前記レバー部材は、前記ロック部が形成された所定長さの操作部と、前記操作部の両端側から延設された一対の腕部と、前記一対の腕部にそれぞれ形成された前記軸部と、前記軸部にそれぞれ形成された前記爪部と、を有し、
前記レバー部材の軸部は、前記フード部材の互いに対向する面にそれぞれ貫通されて形成された軸受部に回転自在に配置されており、前記爪部は前記第２ハウジングと前記フード部材の間に形成された隙間に配置されていることを特徴とする。
【発明の効果】
【００１１】
第１の態様のコネクタによれば、第１コネクタ部材と第２コネクタ部材を固定するレバー部材が弾性変形された状態で固定されていることで、弾性変形されたレバー部材の元に戻ろうとする力により常に第２コネクタ部材が第１コネクタ部材に常に押圧されているようになるため、がたつきが抑制され、高い耐久性及び耐震性を得ることができる。
【００１２】
また、第２に態様のコネクタによれば、レバー部材を弾性変形させるために、特別な構造を形成する必要がないので、製造コストを減らしたり製造工程を削減させたりすることができる。
【００１３】
また、第３の態様のコネクタによれば、第１コネクタ部材の第１ハウジングに形成された嵌合部を第２コネクタ部材の第２ハウジングとフード部材の隙間に嵌合させることで、小型化を図ることができる。
【００１４】
また、第４の態様のコネクタによれば、レバー部材の軸部が第２ハウジングに形成された軸受部を貫通させて配置させることで、レバー部材をフード部材の略中央部分に配置させることができるので、小型化を図ることができる。
【図面の簡単な説明】
【００１５】
【図１】図１Ａは実施形態の第１コネクタ部材と第２コネクタ部材が接続された状態のコネクタの斜視図であり、図１Ｂは接続前の状態のコネクタの斜視図である。
【図２】図２Ａは第１コネクタ部材の斜視図であり、図２Ｂは一方から見た側面図である。
【図３】図３Ａは第１コネクタ部材の平面図であり、図３Ｂは正面図であり、図３Ｃは底面図である。
【図４】図４Ａは第２コネクタ部材の後面図であり、図４Ｂは平面図であり、図４Ｃは正面図である。
【図５】第２コネクタ部材の分解斜視図である。
【図６】図６Ａは信号用の第２コンタクトの斜視図であり、図６Ｂは電源用の第２コンタクトの斜視図である。
【図７】図７Ａは第２ハウジングの一方から見た斜視図であり、図７Ｂは他方から見た斜視図である。
【図８】図８Ａはフード部材の一方から見た斜視図であり、図８Ｂは他方から見た斜視図である。
【図９】図９Ａはフード部材の平面図であり、図９Ｂは正面図であり、図９Ｃは後面図である。
【図１０】図１０Ａはワイヤーシールの斜視図であり、図１０Ｂは正面図であり、図１０Ｃは後面図である。
【図１１】図１１Ａはレバー部材の斜視図であり、図１１Ｂは正面図であり、図１１Ｃは図１１ＡのＸＩＣ部の拡大図である。
【図１２】図１２Ａはカバー部材の斜視図であり、図１２Ｂは後面図であり、図１２Ｃは平面図である。
【図１３】図１３Ａはリテーナの斜視図であり、図１３Ｂは正面図である。
【図１４】図１４Ａは図１のXIVA−XIVA線での断面図であり、図１４Ｂは図１のXIVB−XIVB線での断面図である。
【図１５】図１５Ａは第１コネクタ部材と第２コネクタ部材の接続を説明する図１４Ａに続く断面図であり、図１５Ｂは図１４Ｂに続く断面図である。
【図１６】図１６Ａは第１コネクタ部材と第２コネクタ部材の接続を説明する図１５Ａに続く断面図であり、図１６Ｂは図１５Ｂに続く断面図である。
【図１７】図１７Ａは第１コネクタ部材と第２コネクタ部材の接続を説明する図１６Ａに続く断面図であり、図１７Ｂは図１６Ｂに続く断面図である。
【図１８】図１８Ａは第１コネクタ部材と第２コネクタ部材の接続を説明する図１７Ａに続く断面図であり、図１８Ｂは図１７Ｂに続く断面図であり、図１８Ｃは図１８ＢのXVIIIC部の拡大図である。
【図１９】図１９Ａは図１６に対応する図１のXIXA−XIXA線での断面図であり、図１９Ｂは図１９ＡのXIXB部の拡大図であり、図１９Ｃは図１７に対応する図１９Ａに続く断面図であり、図１９Ｄは図１９ＣのXIXD部の拡大図である。
【発明を実施するための形態】
【００１６】
以下、図面を参照して本発明の実施形態を説明する。ただし、以下に示す実施形態は、本発明の技術思想を具体化するためのコネクタを例示するものであって、本発明をこれに特定することを意図するものではない。本発明は、特許請求の範囲に含まれるその他の実施形態のものにも等しく適応し得るものである。
【００１７】
［実施形態］
図１〜図１３を参照して、実施形態にかかるコネクタ１０について説明する。実施形態のコネクタ１０は、図１に示すように、基板等に実装される第１コネクタ部材１２と、第１コネクタ部材１２に接続される第２コネクタ部材６８とを有し、第１コネクタ部材１２と第２コネクタ部材６８が着脱自在なるように構成されている。また、第１コネクタ部材１２と第２コネクタ部材６８には、接続状態の固定及び解除が行われるレバー部材１８４が備えられている。なお、実施形態では、第１コネクタ部材１２が雄側のコネクタとなり、第２コネクタ部材６８が雌側のコネクタとなっている。
【００１８】
まず、図１〜図３を参照して、実施形態の第１コネクタ部材１２について説明する。第１コネクタ部材１２は、複数の第１コンタクト１４と、この複数の第１コンタクト１４が装着された第１ハウジング２２と、第１ハウジング２２に取り付けられ、基板に接続される側の各第１コンタクト１４を整列させる補整板６２とを有している。なお、第１コンタクトは、信号用の第１コンタクト１４ａと電源用の第１コンタクト１４ｂが複数の段と列に配列されて設けられており、第１ハウジング２２と第１コンタクト１４ａ及び第１コンタクト１４ｂは、例えば、インサート成形により一体となるように形成されている。
【００１９】
第１コネクタ部材１２の信号用の第１コンタクト１４ａは、金属製の棒状体の一部が屈曲されて、略Ｌ字状に形成されており、第１コンタクト本体部１６ａと、第１コンタクト本体部１６ａの一方に第２コネクタ部材６８に設けられた信号用の第２コンタクト７０ａ（図６Ａ参照）と接触される第１接触部１８ａと、他方に基板とはんだ付け等により接続される接続部２０ａとを有している。なお、第１コネクタ部材１２の第１コンタクト１４ａは、複数の段と列に配列されているため、配置された位置により長さが異なるように形成されているが、構成はそれぞれ共通する。
【００２０】
また、第１コネクタ部材１２の電源用の第１コンタクト１４ｂは、信号用の第１コンタクト１４ａと大きさが異なるが、略共通の構成を有しており、金属製の棒状体の一部が屈曲されて、略Ｌ字状に形成されており、第１コンタクト本体部１６ｂと、第１コンタクト本体部１６ｂの一方に第２コネクタ部材６８に設けられた電源用の第２コンタクト７０ｂ（図６Ｂ参照）と接触される第１接触部１８ｂと、他方に基板とはんだ付け等により接続される接続部２０ｂとを有している。なお、以下、第１コネクタ部材１２に設けられた信号用の第１コンタクト１４ａ及び電源用の第１コンタクト１４ｂはまとめて第１コンタクト１４ともいう。
【００２１】
第１ハウジング２２は、複数の第１コンタクト１４が一体となるように収容された第１コンタクト収容部４２が設けられた第１ハウジング本体部２４を有し、第１ハウジング本体部２４の一方側には、第１コンタクト１４の第１接触部１８側が配置され、第２コネクタ部材６８と接続される嵌合部４６を有している。また、第１ハウジング本体部２４の他方側からは、第１コンタクト１４の接続部２０側が配置され、補整板６２が設けられている。
【００２２】
第１ハウジング２２の第１ハウジング本体部２４は、第１コンタクト１４の第１接触部１８側が突出された第１前面２６と、第１コンタクト１４の接続部２０側が突出された第１後面３０と、第１上面３４、第１底面３６、一方の第１側面３８及び他方の第１側面４０で囲まれて所定の幅を有するブロック体で形成されている。また、第１コンタクト収容部４２には、信号用の第１コンタクト１４ａと、信号用よりやや大きい電源用の第１コンタクト１４ｂがそれぞれ一体となるように収容されている。
【００２３】
第１ハウジング本体部２４の第１前面２６には、第１コンタクト１４の第１接触部１８側が突出され、この突出された第１コンタクト１４を囲うように第２コネクタ部材６８が接続される少なくとも一つ、実施形態では、２つの嵌合部４６が筒状に延設されて形成されている。この嵌合部４６は、第１コネクタ部材１２が第２コネクタ部材６８と接続される際に、第２コネクタ部材６８に挿入される部分となる。以下、１つの嵌合部４６を代表して説明する。
【００２４】
嵌合部４６は、上面側４８、底面側５２及び両側面側５０で囲まれた略矩形状の筒状体が第１ハウジング本体部２４の第１前面２６から延設されて一体に形成されており、各角部が曲面状に形成されている。
【００２５】
また、嵌合部４６の筒状体の片方の側面側５０の外周側には、外側ガイド部５６がそれぞれ形成されている。この外側ガイド部５６は、第１コネクタ部材１２と第２コネクタ部材が接続される際に、第２コネクタ部材６８のフード部材１２２に形成された嵌合部ガイド溝１６８（図８参照）がガイドされるようになる。また、外側ガイド部５６が片方の側面側５０のみに形成されていることで、第２コネクタ部材６８が反対向きに接続されることを防止することができる。
【００２６】
また、嵌合部４６の上面側４８及び底面側５２には、複数の突起状の突部押圧突起５９が形成されている。この突部押圧突起５９は、挿抜方向に傾斜がそれぞれ形成されており、フード部材１２２が取り付けられる際に案内されると共に、後述するフード部材１２２に形成された突部１６４（図８、図９参照）が押圧されることで、フード部材１２２の外側に設けられたレバー部材１８４が係止されたレバー部材係止突起１５８を移動させ、レバー部材１８４の係止を解除する部分となる。
【００２７】
また、嵌合部４６の上面側４８及び底面側５２には、少なくとも一つ、実施形態では、上面側４８に２つ、底面側５２に２つの突起部５８がそれぞれ形成されている。この突起部５８は、後述する第２コネクタ部材６８に設けられたレバー部材１８４と組み合わされて、コネクタ１０の接続を固定及び固定の解除を行うようになる。
【００２８】
また、嵌合部４６の上面側４８、底面側５２及び両側面側５０の各内周側には、複数の内側ガイド部５４が突出されて形成されており、第１コネクタ部材１２と第２コネクタ部材６８が接続される際に、第２コネクタ部材６８の第２ハウジング８４に形成された各ガイド溝１０８にガイドされ、案内される部分となる。
【００２９】
また、嵌合部４６の内側には、第１ハウジング本体部２４の第１前面２６から突出されたガイド板部６０が複数形成されている。このガイド板部６０は第２コネクタ部材６８の第２ハウジング８４に形成されたガイド孔９０に嵌入されるようになる。
【００３０】
また、第１ハウジング本体部２４の第１後面３０からは、第１コンタクト１４の接続部２０側が突出されている。さらに、第１ハウジング本体部２４の第１後面３０の第１底面３６側には、補整板６２が取り付けられる補整板取付部４４が形成されている。
【００３１】
補整板６２は、第１コンタクト１４の接続部２０が貫通される複数の貫通孔６４が形成された板状体となっており、接続部２０を整列させ、基板等に接続しやすくするものである。この補整板６２の第１ハウジング２２と取り付けられる側には、被取付部６６が形成されている。
【００３２】
なお、実施形態の第１コネクタ部材１２では、第１ハウジング２２と各第１コンタクト１４をインサート成形により一体に形成した場合を説明したが、これに限らず、第１ハウジングと第１コンタクトを別々に形成し、組み立てるようにしてもよい。
【００３３】
次に、図１、図４〜図１３を参照して、第２コネクタ部材６８について説明する。なお、実施形態のコネクタ１０では、第２コネクタ部材６８は第１コネクタ部材１２に２つ設けられるようになっているが、これらの第２コネクタ部材６８は一部の構成が左右対称に形成されているだけで、他の構成は共通するので、一方のみを代表して説明する。
【００３４】
第２コネクタ部材６８は、図４、図５に示すように、ワイヤー７８が接続された複数の第２コンタクト７０と、複数の第２コンタクト７０が収容される第２コンタクト収容部１２０が形成された第２ハウジング８４と、第２ハウジング８４に収容された第２コンタクト７０を位置決め固定するリテーナ２２６と、第２ハウジング８４の外周側に環状に設けられたシール部材２４０と、第２ハウジング８４が覆われるように設けられたフード部材１２２と、フード部材１２２の内側であって、第２ハウジング８４との間に設けられた弾性部材としてのワイヤーシール１７４と、フード部材１２２の第１コネクタ部材１２と接続される側とは反対側に設けられたカバー部材２０４と、フード部材１２２に回転自在に設けられたレバー部材１８４と、を有している。なお、第２コンタクト７０は、図６Ａに示すような、信号用の第２コンタクト７０ａと図６Ｂに示すような電源用の第２コンタクト７０ｂが複数の段と列に配列されて設けられている。
【００３５】
まず、信号用の第２コンタクト７０ａは、図６Ａに示すように、筒状の第２コンタクト本体部７２ａと、第２コンタクト本体部７２ａの一方側に信号用の第１コンタクト１４ａの第１接触部１８ａが挿入された状態で接触される第２接触部７４ａを有し、他方側にワイヤー７８が装着されるワイヤー装着部７６ａを有している。また、第２コンタクト本体部７２ａの上側８０ａには、後述する第２ハウジング８４の第２コンタクト収容部１２０内に設けられた爪状のランス（図示省略）が嵌め込まれる嵌入部８２ａが形成されており、また、第２コンタクト本体部７２ａのワイヤー装着部７６ａ側にはリテーナ２２６の固定突起２３２が嵌め込まれることにより位置決め固定される固定部８３ａが形成されている。
【００３６】
また、電源用の第２コンタクト７０ｂは、図６Ｂに示すように、信号用の第２コンタクト７０ａと略共通の構成を有しており、筒状の第２コンタクト本体部７２ｂと、第２コンタクト本体部７２ｂの一方側に電源用の第１コンタクト１４ｂの第１接触部１８ｂが挿入された状態で接触される第２接触部７４ｂを有し、他方側にワイヤー７８が装着されるワイヤー装着部７６ｂを有している。また、第２コンタクト本体部７２ｂの上側８０ｂには、
後述する第２ハウジング８４の第２コンタクト収容部１２０に設けられた爪状のランス（図示省略）が嵌め込まれる嵌入部８２ｂが形成されており、また、第２コンタクト本体部７２ｂのワイヤー装着部７６ｂ側にはリテーナ２２６の固定突起２３２が嵌め込まれることにより位置決め固定される固定部８３ｂが形成されている。なお、以下、第２コネクタ部材６８に設けられた信号用の第２コンタクト７０ａ及び電源用の第１コンタクト７０ｂはまとめて第１コンタクト７０ともいう。
【００３７】
次に、図７を参照して、第２ハウジング８４について説明する。第２ハウジング８４は、一方に内部に収容される第２コンタクト７０と接続される第１コネクタ部材１２の第１コンタクト１４が挿入される複数の第１コンタクト挿入部８８がそれぞれ形成された第２前面８６と、第２コンタクト７０が挿入される複数の第２挿入孔９４が形成された第２後面９２と、リテーナ２２６が装着されるリテーナ装着溝１１０が形成された第２上面１０６と、第２上面１０６の反対側の第２底面１１２と、一方の第２側面１１４及び他方の第２側面１１６を有するブロック体であって、樹脂材料で形成されている。また、第２ハウジング８４の内部には、複数の第２コンタクト７０が収容される第２コンタクト収容部１２０が第２前面８６に形成された第１コンタクト挿入部８８と第２挿入孔とを繋ぐようにそれぞれ形成されている。
【００３８】
第２ハウジング８４の第２前面８６には、第１コンタクト１４の第１接触部１８が挿入される複数の第１コンタクト挿入部８８と、第１ハウジング２２に形成されたガイド板部６０が挿入される複数のガイド孔９０が、それぞれ第２ハウジング８４の内部に亘って形成されている。なお、第１コンタクト挿入部８８は第２コンタクト収容部１２０と連通されている。
【００３９】
また、第２ハウジング８４の第２後面９２には、第２コンタクト７０が挿入され、第２コンタクト収容部１２０と連通される第２挿入孔９４と、第２後面９２側に配置されるワイヤーシール１７４に形成された嵌入突起１７８（図１２参照）が嵌入されるワイヤーシール嵌入溝９６がそれぞれ形成されている。第２挿入孔９４は、信号用の第２コンタクト７０ａと、信号用よりやや大きい電源用の第２コンタクト７０ｂが挿入されるようにそれぞれ形成されている。
【００４０】
また、第２後面９２側の周辺側、すなわち、第２上面１０６側、第２底面１１２側、一方の第２側面１１４側及び他方の第２側面１１６側には、第２後面９２より延設された筒状の囲い部９８が形成されている。この囲い部９８は、ワイヤーシール１７４が収容される部分となると共に、フード部材１２２に取り付けられる部分となる。なお、囲い部９８の第２上面１０６側、第２底面１１２側、一方の第２側面１１４側及び他方の第２側面１１６側には、フード部材１２２の第２ハウジング取付部１３０（図８Ａ参照）に取り付けられる際に挿入が案内されるフード部材ガイド部１００がそれぞれ形成されている。また、囲い部９８の第２上面１０６側及び第２底面１１２側には、フード部材１２２の第２ハウジング取付部１３０と取り付けられるフード部材取付部１０２がそれぞれ形成されている。
【００４１】
第２ハウジング８４の第２上面１０６には、リテーナ２２６が装着されるリテーナ装着溝１１０が一方の第２側面１１４から他方の第２側面１１６に亘って形成されている。また、第２上面１０６の第２前面８６側には、第１ハウジング２２の内側ガイド部５４が案内されるガイド溝１０８が形成されている。
【００４２】
また、第２ハウジング８４の第２底面１１２にも、第１ハウジング２２の内側ガイド部５４が案内されるガイド溝１０８が形成されている。
【００４３】
一方の第２側面１１４と他方の第２側面１１６には、第２上面１０６側から装着されたリテーナ２２６が係止されるリテーナ係止突起１１８がそれぞれ形成されている。
【００４４】
また、第２ハウジング８４の囲い部９８の外周側の各角部には、それぞれ突出された耐震突起１０４が形成されている。この耐震突起１０４は、板状突起が２列に形成されており、第２後面９２に向かうほど、２列の板状突起の幅が離れるような、ハの字状に形成されている。この耐震突起１０４は、第２コネクタ部材６８の組み立ての際に、後述するフード部材１２２に形成された耐震突起嵌入溝１３１に嵌入されるようになる。
【００４５】
次に、図８、図９を参照して、フード部材１２２について説明する。フード部材１２２は、第２ハウジング８４が挿入されると共に、接続された第１コネクタ部材１２の第１ハウジング２２の嵌合部４６が嵌合される開口部１２６が形成された前面部１２４と、複数のワイヤー７８が挿通されるワイヤー挿通孔１３２がそれぞれ形成された後面部１２８と、レバー部材１８４が回転自在に配置される軸受部１５０がそれぞれ形成された上面部１４２及び底面部１４４と、一方の側面部１６６及び他方の側面部１７０とを有する箱状体であって、樹脂材料により形成されている。
【００４６】
また、フード部材１２２の内側の後面部１２８側には、第２ハウジング８４が取り付けられる第２ハウジング取付部１３０が形成されている。第２ハウジング取付部１３０には、第２ハウジング８４の囲い部９８の外周側に形成されたフード部材ガイド部１００が案内される溝部１３３がそれぞれ形成されており、第２ハウジング８４が取り付けられる際に案内されるようになる。また、第２ハウジング取付部１３０には、第２ハウジング８４の囲い部９８の外周側に形成された、フード部材取付部１０２が取り付けられる係合部１３５がそれぞれ形成されており、第２ハウジング８４が取り付けられる際に、フード部材取付部１０２と係合されて取り付けられるようになる。さらに、第２ハウジング取付部１３０には、第２ハウジング８４の囲い部９８の外周側に形成された耐震突起１０４が嵌入されるくさび状の耐震突起嵌入溝１３１が各角部に形成されている。この耐震突起嵌入溝１３１は、第２ハウジング８４がフード部材１２２に取り付けられる際に、第２ハウジング８４の囲い部９８にハの字状に形成され形成された耐震突起１０４が嵌入されると、こと耐震突起１０４の幅が狭くなるように変形されることで、耐震突起１０４と耐震突起嵌入溝１３１が隙間なく嵌め合わされるようになり、第２ハウジング８４とフード部材１２２とが固定され、振動等に対して高い耐久性を得ることができるようになる。
【００４７】
なお、フード部材１２２に第２ハウジング８４取り付けられた場合には、第２ハウジング８４の外周側とフード部材１２２の内側との間に隙間１７３が形成されるようになり、この隙間は、第１コネクタ部材１２と第２コネクタ部材６８が接続される際に、第１コネクタ部材１２の嵌合部４６が嵌まり込む部分となる（図４Ｃ参照）。
【００４８】
さらに、フード部材１２２の上面部１４２及び底面部１４４の内側には、第１ハウジング２２に形成された突起部５８が通過される通過溝１４６がそれぞれ形成されており、また、通過溝１４６の外側、すなわち、一方の側面部１６６側及び他方の側面部１７０側には、第１ハウジング２２に形成された突部押圧突起５９が案内される案内レール部１４８が両側の壁に挟まれるように形成されている。この案内レール部１４８の開口部１２６側には、突部押圧突起５９により押圧される突部１６４が設けられている。
【００４９】
さらに、フード部材１２２の上面部１４２及び底面部１４４の内側の略中央部分には、上面部１４２及び底面部１４４から貫通された軸受部１５０がそれぞれ形成されている。この軸受部１５０には、後述するレバー部材１８４の軸部１９４が回転自在に配置されるようになる。
【００５０】
なお、フード部材１２２の上面部１４２及び底面部１４４の内側には、レバー部材１８４の爪部１９６が配置されるようになる。
【００５１】
また、フード部材１２２の一方の側面部１６６の内側には、第１ハウジング２２に形成された外側ガイド部５６がガイドされる嵌合部ガイド溝１６８が形成されている。
【００５２】
フード部材１２２の前面部１２４には、第２コネクタ部材６８を組み立てる際に第２ハウジング８４が挿入される開口部１２６が形成されている。この開口部１２６は、第１コネクタ部材１２と接続される際に、第１ハウジング２２の嵌合部４６が嵌合される部分ともなる。なお、前面部１２４の上面部１４２側、底面部１４４側及び一方の側面部１６６側には、フード部材１２２の内側に形成された通過溝１４６や案内レール部１４８、嵌合部ガイド溝１６８に繋がる溝が形成されている。
【００５３】
また、フード部材１２２の後面部１２８には、ワイヤー７８が挿通される複数のワイヤー挿通孔１３２が前面部１２４側から貫通されて形成されている。このワイヤー挿通孔１３２は、信号用のものと、電源用のものが挿通されるようになっている。
【００５４】
また、フード部材１２２の後面部１２８の上面部１４２側及び底面部１４４側には、後述するカバー部材２０４が取り付けられるカバー部材取付部１３４がそれぞれ形成されている。このカバー部材取付部１３４は、フード部材１２２の後面部１２８から板状のリブ１３６がそれぞれ突出されて形成されており、このリブ１３６の上面部１４２側及び底面部１４４側に突起状の一対の凸状部１３８が形成されている。
【００５５】
また、フード部材１２２の後面部１２８から一方の側面部１６６及び他方の側面部１７０にかけて、一部が切り欠かれて段状に形成された段部１７２がそれぞれ設けられている。
【００５６】
また、フード部材１２２の上面部１４２及び底面部１４４には、フード部材１２２の内部まで貫通された軸受部１５０がそれぞれ形成されている。また、上面部１４２及び後面部１２８に形成された軸受部１５０から後面部１２８にかけては挿通溝部１５２が形成されており、レバー部材１８４を組み立てる際に、レバー部材１８４の軸部１９４が挿通される部分となる。なお、挿通溝部１５２の後面側は傾斜部１５４がそれぞれ斜めに切り込まれて形成されている。この傾斜部１５４が形成されることで、レバー部材１８４の軸部１９４を挿通しやすくなっている。
【００５７】
また、フード部材１２２の後面部１２８のカバー部材取付部１３４と上面部１４２との間には、板状部材１４０が軸受部１５０の略近接する位置に形成されている。この板状部材１４０はフード部材１２２にカバー部材２０４が取り付けられる際に、カバー部材２０４が沿うように移動される部分となる。さらに、フード部材１２２内側の板状部材１４０は、第１コネクタ部材１２と第２コネクタ部材６８が接続される際に、第１コネクタ部材１２の第１嵌合部４６と当接される部分となる（図１６、図１７参照）。
【００５８】
また、フード部材１２２の上面部１４２及び底面部１４４には、前面部１２４側に突出して形成されたレバー部材規制部１５６と、後面部１２８側に形成されたレバー部材係止突起１５８がそれぞれ設けられている。このレバー部材規制部１５６とレバー部材係止突起１５８は、第２コネクタ部材６８が組み立てられた際にレバー部材１８４の回転を規制するためにもうけられており、これらは、上面部１４２及び底面部１４４にそれぞれ一対ずつ設けられている。
【００５９】
なお、レバー部材係止突起１５８は、反復移動可能な構成となっている。すなわち、上面部１４２及び底面部１４４の一方の側面部１６６側及び他方の側面部１７０側に、支点部１６０を軸に反復移動可能な棒状体１６２がそれぞれ設けられ、この棒状体１６２の前面部１２４側にフード部材１２２の内側に形成された突部１６４が形成され、前面部１２４側にレバー部材係止突起１５８が形成されている。そして、第１コネクタ部材１２が接続される際に、第１ハウジング２２の嵌合部４６に形成された突部押圧突起５９により、突部１６４が押圧されると、棒状体１６２が支点部１６０を軸に回転し、レバー部材係止突起１５８が突部１６４の押圧方向と反対方向に移動し、レバー部材１８４の係止が解除されるようになっている。
【００６０】
次に、図５、図１０を参照して、ワイヤーシール１７４について説明する。ワイヤーシール１７４は、所定の厚みを有し、複数のワイヤー７８が挿通される複数のワイヤー挿通部１７６が形成された板状体であって、ゴム等の弾性力を有する弾性部材で形成されている。
【００６１】
ワイヤーシール１７４は、第２ハウジング８４と接して設けられる側には、複数の嵌入突起１７８が形成されており、第２ハウジング８４に形成されたワイヤーシール嵌入溝９６に嵌入されるようになる。
【００６２】
また、ワイヤーシール１７４の外周部１８０には、環状に凹凸１８２が形成されている。
そして、ワイヤーシール１７４は、第２ハウジング８４の第２後面９２側の囲い部９８の内部に取り付けられた状態で、第２ハウジング８４と共にフード部材１２２に取り付けられるようになる。そのため、ワイヤーシール１７４は、フード部材１２２の内側に第２ハウジング８４と挟まれるように配置されるようになる。
【００６３】
次に、図１１を参照して、レバー部材１８４について説明する。レバー部材１８４は、所定長さの操作部１８６と、操作部１８６の両端側であって、対向するように延設された一対の腕部１９２と、一対の腕部１９２の端部側の内側に、向き合う方向にそれぞれ突出された軸部１９４と、軸部１９４の端部にそれぞれ形成された爪部１９６と、を有し、樹脂材料で形成されている。
【００６４】
操作部１８６は、使用者がレバー部材１８４を操作するために用いる部分であり、腕部１９２が延設された側の反対の面には、例えば、滑り止めとしての複数の凹凸溝１８８が形成されている。
【００６５】
また、操作部１８６の凹凸溝１８８が形成された面とは反対側の面の端辺には、ロック部１９０が形成されている。このロック部１９０は、第１コネクタ部材１２と第２コネクタ部材６８が接続された際に、後述するカバー部材２０４に形成されたロック突起２１６（図１２参照）に係止されて固定される部分である。
【００６６】
また、腕部１９２は、所定長さの板体であって、レバー部材１８４が回転移動する際に、フード部材１２２の上面部１４２及び底面部１４４に沿って移動するようになる。
【００６７】
また、軸部１９４は、腕部１９２と爪部１９６を繋ぐ部分であり、その長さは、フード部材１２２の上面部１４２及び底面部１４４に形成された軸受部１５０を通過できる程度、すなわち、フード部材１２２の上面部１４２及び底面部１４４の厚さと略同じ長さとなっている。なお、実施形態では、軸部１９４は、フード部材１２２に形成された挿通溝部１５２を挿通できるように板状に形成されている。
【００６８】
また、爪部１９６は、第１コネクタ部材１２の第１ハウジング２２の嵌合部４６に形成された突起部５８を引っかけて、レバー部材１８４の回転に応じて、突起部５８を引き込むように移動するようになる。なお、実施形態では、爪部１９６は、二又に分かれた略Ｕ字状の一対の爪片１９８で形成され、各爪片の間に突起部５８を引き込むような空間としての引き込み部２００が形成されるようになっている。
【００６９】
また、爪部１９６の腕部１９２側には壁部２０２が形成されており、レバー部材１８４の回転により、他の部材に引っかかることを抑制している。
【００７０】
次に、図１２を参照して、カバー部材２０４について説明する。カバー部材２０４は、フード部材１２２の後面部１２８側に取り付けられ、挿通された複数のワイヤー７８を案内するような通路を形成するものである。
【００７１】
カバー部材２０４のフード部材１２２に取り付けられる取付面２０６は、開放された開口となっている。また、カバー部材２０４は、取付面２０６から導かれたワイヤー７８を案内するような通路が、第１コネクタ部材１２と第２コネクタ部材６８の嵌合方向に対して略直角方向に向かいように形成されており、取付面２０６の反対側の案内壁面２１４は傾斜して形成されている。また、取付面２０６と案内壁面２１４とを繋ぐように、カバー上面２１８、カバー底面２２０及びカバー側面２２２で囲まれており、カバー側面２２２と対向する側は、ワイヤー７８が出されるために開放されている。
【００７２】
また、カバー部材２０４の取付面２０６には、カバー上面２１８側及びカバー底面２２０側には、フード部材１２２の後面部１２８に形成されたカバー部材取付部１３４に取り付けられる被取付部２０８が形成されている。この被取付部２０８は、取付面２０６からフード部材１２２側に延設された板状のスライド部２１０と、このスライド部２１０の一部がスライド部２１０に対して直交する方向に突出された突状部２１２とで構成されている。
【００７３】
また、スライド部２１０のカバー側面２２２側には、カバー部材取付部１３４に固定される固定突起２３２がそれぞれ形成されている。
【００７４】
また、カバー部材２０４のカバー側面２２２側には、フード部材１２２側に延設された側壁部２２４が形成されている。
【００７５】
さらに、カバー部材２０４の案内壁面２１４の外側には、レバー部材１８４のロック部１９０が固定されるロック突起２１６が形成されている。
【００７６】
なお、フード部材１２２とカバー部材２０４の取り付けは、フード部材１２２のカバー部材取付部１３４に対して、カバー部材２０４の取付面２０６をフード部材１２２の他方の側面部１７０側からスライドさせて取り付ける。このとき、フード部材１２２のカバー部材取付部１３４のリブ１３６とカバー部材２０４のスライド部２１０が摺動されて移動され、フード部材１２２のカバー部材取付部１３４のリブ１３６に形成された凸状部１３８とカバー部材２０４のスライド部２１０に形成された突状部２１２が係止され、また、スライド部２１０に形成されたロック突起部２２３がフード部材１２２にロックされるようになる（図８、図９、図１２参照）。
【００７７】
次に、図１３を参照して、リテーナ２２６について説明する。リテーナ２２６は、所定の厚さを有する板状体であって、複数の第２コンタクト７０が挿通されるコンタクト挿通孔２２８と、第１コネクタ部材１２の第１ハウジング２２に形成されたガイド板部６０が挿通される複数のガイド板部挿通溝２３０が形成されている。
【００７８】
このコンタクト挿通孔２２８の上部２２９には、第２コンタクト７０に形成された固定部８３に嵌め込まれる固定突起２３２がそれぞれ形成されている。
【００７９】
また、リテーナ２２６の両側部側２３４、２３４には、一対の取付片２３６が形成されており、取付片２３６の内側には、第２ハウジング８４の一方の第２側面１１４及び他方の第２側面１１６に形成されたリテーナ係止突起１１８（図７参照）に係止される係止用リブ２３８がそれぞれ形成されている。
【００８０】
リテーナ２２６は、第２ハウジング８４に第２コンタクト７０が装着される前にリテーナ装着溝１１０に挿入しておき、第２ハウジング８４の第２コンタクト収容部１２０に第２コンタクト７０が収容された後、リテーナ２２６を押し込むことで、第２コンタクト７０に形成された固定部８３にリテーナ２２６の固定突起２３２が嵌まり込み、第２コンタクト７０が位置決め固定されるようになる。
【００８１】
シール部材２４０は、図５に示すように、ゴム等の弾性力を有する弾性部材により環状に形成されており、第２ハウジング８４の外周のシール部材装着部１２１に取り付けられる（図４Ｃ参照）。そして、シール部材２４０は、第１コネクタ部材１２と第２コネクタ部材６８が接続された場合、第１ハウジング２２の嵌合部４６の内側と密着されることで、防水機能を有するものである。
【００８２】
次に、図１、図１４〜図１８を参照して、第１コネクタ部材１２と第２コネクタ部材６８の接続について説明する。
【００８３】
第１コネクタ部材１２と第２コネクタ部材６８の接続は、まず、図１、図１４に示すように、接続させる第１コネクタ部材１２と第２コネクタ部材６８を対応させて配置させる。このとき、第１コネクタ部材１２の第１ハウジング２２の嵌合部４６の片方の側面側５０に形成された外側ガイド部５６と、第２コネクタ部材６８のフード部材１２２の一方の側面部１６６に形成された嵌合部ガイド溝１６８とが対応するように配置させる。このようにすることで、第２コネクタ部材６８が反対向きで接続されることを防止することができる。
【００８４】
次に、図１５に示すように、第１コネクタ部材１２の嵌合部４６に第２コネクタ部材６８を挿入させる。このとき、第１コネクタ部材１２の嵌合部４６が第２コネクタ部材６８の第２ハウジング８４とフード部材１２２の間の隙間１７３に挿入すると共に、この挿入の際に、嵌合部４６の上面側４８、底面側５２、一方の側面側５０及び他方の側面側５０の内側にそれぞれ形成された複数の内側ガイド部５４が、第２ハウジング８４の第２上面１０６、第２底面１１２、一方の第２側面１１４及び他方の第２側面１１６にそれぞれ形成されたガイド溝１０８に案内され、また、嵌合部４６の内側の第１ハウジング本体部２４の第１前面２６から突出された第１コンタクト１４及び、第１前面２６に形成されたガイド板部６０が、第２ハウジング８４の第２前面８６に形成された第１コンタクト挿入部８８及びガイド孔９０にそれぞれ挿入される。なお、第１コンタクト１４は、第２ハウジング８４の第１コンタクト挿入部８８から挿入された後、第２ハウジング８４の第２コンタクト収容部１２０に収容された第２コンタクト７０とそれぞれ接触されるようになる。
【００８５】
さらに、この挿入の際に、嵌合部４６の片方の側面側５０の外周側に形成された外側ガイド部５６が、第２コネクタ部材６８のフード部材１２２の一方の側面部１６６の内側に形成された嵌合部ガイド溝１６８に案内され、また、嵌合部４６の上面側４８及び底面側５２に形成された各突起部５８が、フード部材１２２の上面部１４２及び底面部１４４の内側に形成された各通過溝１４６を通過されると共に、嵌合部４６の上面側４８及び底面側５２の外周側に形成された各突部押圧突起５９が、フード部材１２２の上面部１４２及び底面部１４４の内側に形成された案内レール部１４８に沿って移動されるようになる。
【００８６】
このとき、突部押圧突起５９が案内レール部１４８内に配置された突部１６４を押圧することで、突部１６４が形成された棒状体１６２が支点部１６０を軸に回転され、棒状体１６２の突部１６４と反対側に形成され、フード部材１２２の上面部１４２及び底面部１４４にそれぞれ配置されたレバー部材係止突起１５８が押し下げられ、レバー部材１８４の係止が解除されるようになる。
【００８７】
さらにまた、このとき、第１コネクタ部材１２の嵌合部４６の上面側４８及び底面側５２に形成された各突起部５８の片方に第２コネクタ部材６８のレバー部材１８４の爪部１９６がそれぞれ当接するようになる。
【００８８】
次に、図１６に示すように、第２コネクタ部材６８のレバー部材１８４を回転させる。このレバー部材１８４を回転させることにより、レバー部材１８４の爪部１９６と嵌合部４６の突起部５８が係止された後、爪部１９６が突起部５８を第２コネクタ部材６８側に引き込むように移動されることで、第１コネクタ部材１２と第２コネクタ部材６８が互いに接近する方向、すなわち接続される方向に移動されるようになる。
【００８９】
このレバー部材１８４の爪部１９６による突起部５８の引き込みは、爪部１９６の一方の爪片１９８により突起部５８が引っ掛けられ、レバー部材１８４の軸部１９４を中心に回転されることで爪片１９８が突起部５８を回転方向に沿って押圧することで行われる。このとき、レバー部材１８４の爪部１９６の引き込み部２００に突起部５８が配置されるようになる。
【００９０】
その後、図１７に示すように、さらにレバー部材１８４を回転させることで、嵌合部４６の突起部５８が第２コネクタ部材６８のレバー部材１８４の爪部１９６により引き込まれるようになり、第１コネクタ部材１２と第２コネクタ部材６８がさらに近づくようになり、第１ハウジング２２と第２ハウジング８４が当接されるようになる。
【００９１】
すなわち、第１コネクタ部材１２の第１ハウジング２２と、第２コネクタ部材６８の第２ハウジング８４は、図１９Ａ、図１９Ｂに示すように、第１前面２６と第２前面８６が接近され、その後、図１９Ｃ、図１９Ｄに示すように、第１コネクタ部材１２の第１ハウジング本体部２４の第１前面２６と、第２コネクタ部材６８の第２ハウジング８４の第２前面８６が当接され、移動が規制されるようになる。
【００９２】
このとき、第２コネクタ部材６８のレバー部材１８４は、固定されておらず、レバー部材１８４のロック部１９０とカバー部材２０４のロック突起２１６がロックされるまで、まだ移動距離がある状態となっている。
【００９３】
その後、図１８、図１９Ｃ、図１９Ｄに示すように、第１コネクタ部材１２の第１ハウジング２２と第２コネクタ部材６８の第２ハウジング８４が当接され、移動が規制された状態で、さらにレバー部材１８４を回転させ、レバー部材１８４の操作部１８６に形成されたロック部１９０を、カバー部材２０４に形成されたロック突起２１６にロックさせ、レバー部材１８４を固定させる。
【００９４】
このとき、レバー部材１８４を回転させても第１コネクタ部材１２と第２コネクタ部材６８が移動ができないため、レバー部材１８４自体、実施形態では、レバー部材１８４の軸部１９４がねじれて弾性変形することでレバー部材１８４が移動されるようになり、レバー部材１８４の軸部１９４がねじれて弾性変形された状態で、カバー部材２０４とロックされ、固定されるようになる（図１８Ｃ参照）。
【００９５】
そのため、第１コネクタ部材１２と第２コネクタ部材６８は、レバー部材１８４の軸部１９４がねじれて弾性変形された弾性力を有した状態で固定されているため、常に、第１コネクタ部材１２と第２コネクタ部材６８が接続される方向に押す力、すなわち、第１コネクタ部材１２と第２コネクタ部材６８を近づけるような力が働いている状態となり、がたつき等の不具合を抑制することができるようになる。
【００９６】
なお、実施形態の第１コネクタ部材１２に設けられた第１コンタクト１４と第２コネクタ部材６８の設けられた第２コンタクト７０は、上述した第１コネクタ部材１２と第２コネクタ部材６８との接続に応じて、第２コンタクト７０の第２接触部７４（７４ａ、７４ｂ）内に第１コンタクト１４の第１接触部１８（１８ａ、１８ｂ）が徐々に挿入されることで行われるようになる。
【００９７】
以上で第１コネクタ部材１２と第２コネクタ部材６８の接続が完了する。なお、第１コネクタ部材１２と第２コネクタ部材６８の接続を解除する場合は、レバー部材１８４のロック部１９０をカバー部材２０４のロック突起２１６から外すことで容易に行うことができる。
【００９８】
なお、実施形態では、レバー部材１８４の軸部１９４は、板状に形成された場合を説明したが、これに限らず、棒状、例えば、円柱状や角柱状等の形状にすることができる。その際、フード部材に形成された挿通溝部の形状が軸部に応じて変形されるようになる。
【００９９】
また、実施形態では、レバー部材の軸部がねじれることで、弾性力を得るようにされているが、これに限らず、腕部や爪部が変形されることで、弾性力を得るようにしてもよい。
【０１００】
また、実施形態では、第１コネクタ部材１２の第１ハウジング本体部２４の第１前面２６と、第２コネクタ部材６８のフード部材１２２の前面部１２４とは、フード部材１２２の前面部１２４の面で当接することに限らず、例えば、フード部材１２２の前面部１２４に突起物を形成し、この突起物を第１ハウジング本体部２４と当接させる点接触としてもよい。
【０１０１】
また、実施形態では、レバー部材１８４は、樹脂材料で形成された場合を説明したが、これに限らず、弾性変形し弾性力を発生する材料、例えば、金属材料で形成してもよい。
【符号の説明】
【０１０２】
１０：コネクタ  １２：第１コネクタ部材  １４：第１コンタクト  １６：第１コンタクト本体部  １８：第１接触部  ２０：接続部  ２２：第１ハウジング  ２４：第１ハウジング本体部  ２６：第１前面  ３０：第１後面  ３４：第１上面  ３６：第１底面  ３８：一方の第１側面  ４０：他方の第１側面  ４２：第１コンタクト収容部  ４４：補整板取付部  ４６：嵌合部  ４８：上面側  ５０：側面側  ５２：底面側  ５４：内側ガイド部  ５６：外側ガイド部  ５８：突起部  ５９：突部押圧突起  ６０：ガイド板部  ６２：補整板  ６４：貫通孔  ６６：被取付部  ６８：第２コネクタ部材  ７０：第２コンタクト  ７２：第２コンタクト本体部  ７４：第２接触部  ７６：ワイヤー装着部  ７８：ワイヤー  ８０：上側  ８２：嵌入部  ８３：固定部  ８４：第２ハウジング  ８６：第２前面  ８８：第２コンタクト挿入部  ９０：ガイド孔  ９２：第２後面  ９４：第２挿入孔  ９６：ワイヤーシール嵌入溝  ９８：囲い部  １００：フード部材ガイド部  １０２：フード部材取付部  １０４：耐震突起  １０５：規制突起  １０６：第２上面  １０８：ガイド溝  １１０：リテーナ装着溝  １１２：第２底面  １１４：一方の第２側面  １１６：他方の第２側面  １１８：リテーナ係止突起  １２０：第２コンタクト収容部  １２１：シール部材装着部  １２２：フード部材  １２４：前面部  １２６：開口部  １２８：後面部  １３０：ハウジング取付部  １３１：耐震突起嵌入溝  １３２：ワイヤー挿通孔  １３３：溝部  １３４：カバー部材取付部  １３５：係合部  １３６：リブ  １３８：凸状部  １４０：板状部材  １４２：上面部  １４４：底面部  １４６：通過溝  １４８：案内レール部  １５０：軸受部  １５２：挿通溝部  １５４：傾斜部  １５６：レバー部材規制部  １５８：レバー部材係止突起  １６０：支点部  １６２：棒状体  １６４：突部  １６６：一方の側面部  １６８：嵌合部ガイド溝  １７０：他方の側面部  １７２：段部  １７３：隙間  １７４：ワイヤーシール  １７６：ワイヤー挿通部  １７８：嵌入突起  １８０：外周部  １８２：凹凸  １８４：レバー部材  １８６：操作部  １８８：凹凸溝  １９０：ロック部  １９２：腕部  １９４：軸部  １９６：爪部  １９８：爪片  ２００：引き込み部  ２０２：壁部  ２０４：カバー部材  ２０６：取付面  ２０８：被取付部  ２１０：スライド部  ２１２：突状部  ２１４：案内壁面  ２１６：ロック突起  ２１８：カバー上面  ２２０：カバー底面  ２２２：カバー側面  ２２３：ロック突起部  ２２４：側壁部  ２２６：リテーナ  ２２８：コンタクト挿通孔  ２２９：上部  ２３０：ガイド板部挿通溝  ２３２：固定突起  ２３４：側部側  ２３６：取付片  ２３８：係止用リブ  ２４０：シール部材
【図１】
0006707229.tif 000002
【図２】
0006707229.tif 000003
【図３】
0006707229.tif 000004
【図４】
0006707229.tif 000005
【図５】
0006707229.tif 000006
【図６】
0006707229.tif 000007
【図７】
0006707229.tif 000008
【図８】
0006707229.tif 000009
【図９】
0006707229.tif 000010
【図１０】
0006707229.tif 000011
【図１１】
0006707229.tif 000012
【図１２】
0006707229.tif 000013
【図１３】
0006707229.tif 000014
【図１４】
0006707229.tif 000015
【図１５】
0006707229.tif 000016
【図１６】
0006707229.tif 000017
【図１７】
0006707229.tif 000018
【図１８】
0006707229.tif 000019
【図１９】
0006707229.tif 000020